(57)【要約】【課題】  水洗式の便器から水等が溢れ出ても、トイレの床部全面を汚すことのないような、拘置所等のトイレに好適なトイレ設備を提供する。【解決手段】  洋式便器１を備えたトイレ設備において、トイレの床面２に凹設された凹部２ａと、該凹部２ａに近接して嵌入するように形成された第１受け皿部７と、該第１受け皿部７と共締めにて前記凹部２ａ内に固定される第２受け皿部８と、該第２受け皿部８の上に冠着するように形成され便器本体４の下方部に固定されたベース部４ｃとからなる洋式便器１のトイレ床面２への取付手段を有しており、前記第１受け皿部７に断続的に邪魔板７ｂを配置して、前記ベース部４ｃを前記第２受け皿部８に螺着したボルト４ｄをみだりに外せないようにすると共に、前記第１受け皿部７に溜った水をフロアードレン６ｂを介して排水管６へ逃がすように形成した。【選択図】        図１
2005105558.tif 000002
【特許請求の範囲】
【請求項１】
洋式便器を備えたトイレ設備において、トイレの床面に凹設された盆状の凹部と、該凹部に嵌入固定する盆状に形成された受け皿部と、該受け皿部の上に冠着するように形成された洋式便器の下方部に固定された盆状のベース部とからなる洋式便器のトイレ床面への据付手段を有しており、前記ベース部の側面に設けたボルト孔を挿通する取付けボルトを介して前記洋式便器を前記受け皿部の側面に螺着したトイレ設備。
【請求項２】
前記受け皿部は前記凹部に近接嵌入するように盆状に形成された第１受け皿部と、該第１受け皿部内に設置され該第１受け皿部と共締めにて前記床面にボルト締めするように形成された盆状の第２受け皿部とからなり、前記ベース部の側面に設けたボルト孔を挿通する取付けボルトを介して前記洋式便器を前記第２受け皿部の側面に螺着すると共に、前記第１受け皿部上に前記取付けボルトの頭部に近接して邪魔板を立設して、前記取付けボルトの頭部を人が指先で回転させることができないように形成した請求項１に記載のトイレ設備。
【請求項３】
前記邪魔板は、前記第１受け皿部の外周部に沿って上向きに立設されている縁板と平行に、前記第１受け皿部上に断続的に立設されており、前記邪魔板の断続部の間に前記取付けボルトの頭部が位置するように形成すると共に、前記断続部を挟む両側の邪魔板間の間隔を人の指の太さの２本分以下とした請求項２に記載のトイレ設備。
【請求項４】
前記第２受け皿部は、その外周部に沿って上向きに立設されている縁板を有しており、該縁板の側面に複数個のねじ穴を有して、該ねじ穴に前記取付けボルトを螺着するように形成した請求項２又は請求項３に記載のトイレ設備。
【請求項５】
前記ベース部は、その外周部に沿って下向きに立設された縁板を有しており、該ベース部の縁板を前記第２受け皿部の縁板に冠着させて前記取付けボルトにより前記ベース部と前記第２受け皿部とを螺着するように形成した請求項２乃至請求項４のいずれか１に記載のトイレ設備。
【請求項６】
前記トイレの床面に凹設された盆状の凹部の一部にフロアードレンを設け、該フロアードレンからの管路を前記洋式便器の排水管に連通させると共に、前記受け皿部の該フロアードレン上に相当する部位に開口部を設け、更に該開口部の上に格子状のグレーチングを設置して、異物などが該フロアードレンに落下するのを防止するように形成した請求項１乃至請求項５に記載のトイレ設備。
【請求項７】
前記開口部を前記第１受け皿部に設け、該開口部を、菊割蓋を有する開口部に形成した請求項６に記載のトイレ設備。
【発明の詳細な説明】
【技術分野】
【０００１】
本発明は、特に拘置所の隔離室のトイレや精神病院の隔離室のトイレに好適なトイレ設備に関する。
【背景技術】
【０００２】
従来の隔離室に設置されているトイレには、一般の公衆トイレ等で使用されているものと同様の水洗式の便器が用いられていた。
【０００３】
しかし、これら隔離室に収容されている者の中には、トイレ内の設備を壊したり、又は便器内の水を飲んだりする者がいた。
【０００４】
このため出願人は、先に水洗式のトイレの便器において、便器の底部に連る排水管に介在するＵ字型の水溜り部を有するトラップを、前記便器の据付床部の下方に位置した安全便器（引用特許文献１）を提案した。
【０００５】
これは、便器本体を金属製の二重構造として頑丈な構造にすると共に、トラップの水溜り部を人の手が届かない床面の下深くに設けるようにしたものである。
【特許文献１】特願２００３−１３８１１１
【発明の開示】
【発明が解決しようとする課題】
【０００６】
しかし、前記特許文献１の提案では、前記便器本体の取付ベース部をトイレの床部の上面に取付けるようにしたため、便器から水等が溢れ出た場合には、溢れた水がトイレの床一面に拡がって、トイレの掃除が大変であるという問題があった。
【０００７】
本発明は前記の問題点を解消し、たとえ便器から水等が溢れた場合でも、トイレの床部全面を汚すことのないようなトイレ設備を提供することを目的とする。
【課題を解決するための手段】
【０００８】
本発明は上記の目的を達成すべく、洋式便器を備えたトイレ設備において、トイレの床面に凹設された盆状の凹部と、該凹部に嵌入固定する盆状に形成された受け皿部と、該受け皿部の上に冠着するように形成された洋式便器の下方部に固定された盆状のベース部とからなる洋式便器のトイレ床面への据付手段を有しており、前記ベース部の側面に設けたボルト孔を挿通する取付けボルトを介して前記洋式便器を前記受け皿部の側面に螺着した。
【発明の効果】
【０００９】
本発明によれば、たとえ便器から汚水が溢れても、その汚水がトイレの床部全面を汚すことのないようなトイレ設備を提供できる効果を有する。
【発明を実施するための最良の形態】
【００１０】
本発明の１実施例を図１乃至図６により説明する。
【００１１】
図１は本発明のトイレ設備の１実施例の側面図を示し、図２は図１に示すトイレ設備の平面図であり、１は洋式便器で、該洋式便器１はトイレの床面２に形成された盆状の凹部２ａ内に設置されている。
【００１２】
前記洋式便器１はＦＲＰ製の便座３とステンレス鋼板製の便器本体４とからなり、該便器本体４は内側の漏斗状部４ａと外側のカバー部４ｂとからなる。
【００１３】
前記カバー部４ｂは、前記漏斗状部４ａを覆うと共に、床面２上に立設された水洗用の給水管５をも覆うように形成されている。
【００１４】
又、前記便器本体４の下方部には盆を逆さに伏せた形状のベース部４ｃがあって、該ベース部４ｃは前記カバー部４ｂに溶接により固定して一体に形成されている。
【００１５】
尚、４ｄは後述する取付けボルトである。
【００１６】
前記便器本体４に接続する排水管６は、床面下の人の手の届かない深い箇所にＵ字状の水溜りからなるトラップ６ａを有し、その先を図示していない下水管等に接続している。
【００１７】
又、前記トイレの床面２の凹部２ａの一部に設けたフロアードレン６ｂが、前記排水管６に前記トラップ６ａの下流部において連通しており、該フロアードレン６ｂはトラップ機能を有している。
【００１８】
前記床面２の盆状の凹部２ａ内には、該凹部２ａに近接して嵌入するように盆状に形成された第１受け皿部７と、該第１受け皿部７内に設置され該第１受け皿部７と共締めにて前記凹部２ａにボルト締めされた盆状の第２受け皿部８とがあり、いずれもステンレス鋼板製である。
【００１９】
尚、２ｂはこれら第１受け皿部７及び第２受け皿部８を前記凹部２ａに共締めで固定するためのボルトである。
【００２０】
前記第１受け皿部７の平面図を図３に示し、該図３におけるII−II線截断面図を図４に示した。
【００２１】
即ち、第１受け皿部７は前記図３において八角形部分７ｅと四角形部分７ｆとから形成され、該第１受け皿部７の外周部に沿って縁板７ａが取囲むように立設されており、該縁板７ａの高さは、該第１受け皿部７を前記凹部２ａに嵌入させたとき、該縁板７ａの上端部が床面２と同じ高さとなるように形成されている。
【００２２】
７ｂは邪魔板で、該邪魔板７ｂは前記縁板７ａと平行に、前記第１受け皿部７の八角形部分７ｅ上に断続的に立設されており、又、該邪魔板７ｂの高さは前記縁板７ａと同じ高さに形成した。
【００２３】
７ｃは前記邪魔板７ｂの狭い断続部を示し、該狭い断続部７ｃに後述する取付けボルト４ｄの頭部が来るように配置した。
【００２４】
尚、該断続部７ｃの間隔は、人の指の太さの２本分以下となるようにしている。
【００２５】
７ｄは菊割蓋で、該菊割蓋７ｄは前記第１受け皿部７の開口部を形成し、前記凹部２ａに設けたフロアードレン６ｂの上に位置している。
【００２６】
即ち、水等が該菊割蓋７ｄの割れ目を通って下のフロアードレン６ｂへ流れるようになっている。
【００２７】
図５は前記第２受け皿部８の平面図であり、該図５におけるIII−III線截断面図を図６に示した。
【００２８】
即ち、第２受け皿部８は前記図５において八角形に形成され、該第２受け皿部８の外周部に沿って縁板８ａが取囲むように立設されており、該縁板８ａの高さは、該第２受け皿部８を前記第１受け皿部７の上に設置したとき、該縁板８ａの高さが前記第１受け皿部７の縁板７ａと同じ高さになるように形成した。
【００２９】
又、前記第２受け皿部８の側面には、前記縁板８ａの内側にナットを溶着して形成したねじ穴８ｂを複数個有している。
【００３０】
前記第２受け皿部８の縁板８ａの外形は、前記便器本体４の下方部のベース部４ｃに近接して嵌入するように形成されており、前記ベース部４ｃを第２受け皿部８に冠着させてから前記取付けボルト４ｄを前記ねじ穴８ｂに螺着して、前記便器本体４をトイレの床面２の凹部２ａに固定するようにしている。
【００３１】
又、この取り付けボルト４ｄの頭部が、前記第１受け皿部７に設けた邪魔板７ｂの狭い断続部７ｃの間に来るように配置したので、該取付けボルト４ｄの取付け取外しには、ボックススパナー等の特別な工具が必要となる。
【００３２】
図１及び図２において、９はグレーチングを示し、該グレーチング９は狭い隙間を有する格子状に形成され、前記第１受け皿部７に設けた菊割蓋７ｄの上部に設置されている。
【００３３】
即ちグレーチング９は、前記第１受け皿部７上の四角形部７ｆの周囲に立設された縁板７ａのコ字状部と、前記第２受け皿部８の八角形の周囲に立設された縁板８ａの一辺とによって囲まれた四角形の空間部７ｇに丁度嵌入する大きさの四角形に形成されており、該空間部７ｇに嵌入したグレーチング９は、針金又はフック等の工具無しではこれを引き揚げることが困難である。
【００３４】
次に本実施例の特徴及びその機能について説明する。
【００３５】
本実施例の便器本体４、第１受け皿部７及び第２受け皿部８は、いずれも頑丈なステンレス鋼板製としたので、人の力で壊されることがない。
【００３６】
又、前記便器本体４を前記第２受け皿部８に固定している取付けボルト４ｄは、前記第１受け皿部７に立設した邪魔板７ｂがあるので、いたずら等で外される心配がない。
【００３７】
又、前記第１受け皿部７及び第２受け皿部８は、共に外縁７ａ又は８ａを有して盆状に形成されており、更にこれら受け皿部７、８はトイレの床面２よりも低い凹部２ａ内に設置されているので、洋式便器１から水等が溢れ出た場合にも、それらはこれら受け皿部７、８内に落ちて前記第１受け皿部７の菊割蓋７ｄ及び前記フロアードレン６ｂを経て、排水管６へと流出していく。又、隔離室に収容されている者が洋式便器１の内面に大便を塗って汚すようなことがあってもその洗浄の水を手近なフロアードレン６ｂより流すことができる。
【００３８】
このため、前記洋式便器１から汚水等が流れ出ても、その汚水がトイレの床全面に広がる恐れがない。
【００３９】
又、前記菊割蓋７ｄの上部にはグレーチング９があって、前記フロアードレン６ｂへ大きな塵等が落下するのを防止しているので、前記フロアードレン６ｂが詰まることはない。
【産業上の利用可能性】
【００４０】
本発明の活用例として、拘置所の隔離室のトイレや精神病院の隔離室のトイレに利用でき、又、刑務所のトイレにも利用できる。
【図面の簡単な説明】
【００４１】
【図１】本発明のトイレ設備の１実施例の側面図である。
【図２】前記トイレ設備の１実施例の平面図である。
【図３】前記トイレ設備の一部、第１受け皿部の平面図である。
【図４】前記図３におけるII−II線截断面図である。
【図５】前記トイレ設備の一部、第２受け皿部の平面図である。
【図６】前記図５におけるIII−III線截断面図である。
【符号の説明】
【００４２】
１          洋式便器
２          トイレの床面
２ａ        盆状の凹部
４ｃ        ベース部
４ｄ        取付けボルト
６ｂ        フロアードレン
７          第１受け皿部
７ａ、８ａ  縁板
７ｂ        邪魔板
７ｄ        菊割蓋
８          第２受け皿部
９          グレーチング
【図１】
2005105558.tif 000003
【図２】
2005105558.tif 000004
【図３】
2005105558.tif 000005
【図４】
2005105558.tif 000006
【図５】
2005105558.tif 000007
【図６】
2005105558.tif 000008
【手続補正書】
【提出日】平成15年11月19日(2003.11.19)
【手続補正１】
【補正対象書類名】図面
【補正対象項目名】全図
【補正方法】変更
【補正の内容】
【図１】
2005105558.tif 000009
【図２】
2005105558.tif 000010
【図３】
2005105558.tif 000011
【図４】
2005105558.tif 000012
【図５】
2005105558.tif 000013
【図６】
2005105558.tif 000014